(57)【要約】【課題】プラズマディスプレイパネル等において、可能な限りの階調性を維持しながら動画疑似輪郭をほぼ完全になくするための手段を提供する。【解決手段】１フィールドを複数のサブフィールドに分割し各サブフィールドの点灯または非点灯を組合せることにより階調を表示する画像表示装置１内の点灯パターン情報発生回路１７で平均点灯率が０でない最大輝度重みを持つサブフィールドよりも小さい輝度重みを持つすべてのサブフィールドの平均点灯率が一定値以上となる複数の点灯パターン情報を発生させ、ディザ生成回路１９で複数の点灯パターン情報に時間平均処理および空間平均処理を施してすべての階調を表示し、かつ、動画疑似輪郭を低減する。【選択図】図１５
2005141203.tif 000002
【特許請求の範囲】
【請求項１】
１フィールドを輝度で重み付けされた複数のサブフィールドで構成し、
サブフィールドごとの画素の点灯を「１」、非点灯を「０」で示す情報を点灯パターン情報とし、一つの階調を表示するために複数の点灯パターン情報を用いる画像表示方法であって、
前記複数の点灯パターン情報は、それぞれの点灯パターン情報の示す階調の平均値が前記一つの階調に等しく、
かつ、前記複数の点灯パターン情報をサブフィールドごとに平均した値を平均点灯率とし、その平均点灯率が０でない最大輝度重みを持つサブフィールドよりも小さい輝度重みを持つすべてのサブフィールドの平均点灯率が所定の閾値以上であることを特徴とする画像表示方法。
【請求項２】
前記所定の閾値が０．５であることを特徴とする請求項１に記載の画像表示方法。
【請求項３】
前記複数の点灯パターン情報のそれぞれを、一つの画素に対して時間的に切替えて所定の階調を表示することを特徴とする請求項１または請求項２のいずれか１項に記載の画像表示方法。
【請求項４】
前記複数の点灯パターン情報のそれぞれを、隣接する複数の画素に対して空間的に配置して所定の階調を表示することを特徴とする請求項１から請求項３までのいずれか１項に記載の画像表示方法。
【請求項５】
請求項１から請求項４までのいずれか１項に記載の画像表示方法を用いて、画像を表示するように構成したことを特徴とする画像表示装置。
【発明の詳細な説明】
【技術分野】
【０００１】
本発明は、１フィールドの画像を複数のサブフィールドの画像に分割して多階調表示を行う画像表示方法および画像表示装置に関する。
【背景技術】
【０００２】
プラズマディスプレイパネル（以下、「ＰＤＰ」という。）やデジタルミラーデバイス等、点灯あるいは非点灯の２値制御を行う画像表示装置は、サブフィールド法を用いて中間調表示を行うことが多い。サブフィールド法は、点灯回数あるいは点灯量で重み付けされた複数のサブフィールドを用いて１フィールドを時間分割し、サブフィールドごとに各画素の２値制御を行う。すなわち、各サブフィールドは所定の輝度重みを持ち、点灯するサブフィールドの輝度重みの合計によって階調を表示する方法である。
【０００３】
図１９に従来のＰＤＰにおけるサブフィールドの構成の一例を示す。この例では、１フィールドが８つのサブフィールド（ＳＦ１、ＳＦ２、・・・、ＳＦ８）に分割され、それぞれのサブフィールドは（１、２、４、８、１６、３２、６４、１２８）の輝度重みを持っている。各サブフィールドは、初期化放電を行う初期化期間Ｔ１と、画素ごとに点灯か非点灯かのデータ書き込みを行う書き込み期間Ｔ２と、点灯データの書き込まれた画素を一斉に点灯させる維持期間Ｔ３とからなる。これらのサブフィールドを種々組合せて点灯させることにより、「０」から「２５５」までの２５６段階の階調を表示できる。例えば、階調「７」は、輝度重み（１、２、４）を持つＳＦ１、ＳＦ２、ＳＦ３を点灯させることにより表示でき、階調「２１」は、輝度重み（１、４、１６）を持つＳＦ１、ＳＦ３、ＳＦ５を点灯させることにより表示できる。
【０００４】
このようなサブフィールド法を用いて多階調表示を行う画像表示装置においては、動画を表示する際に疑似輪郭（動画疑似輪郭）が現れ画質を劣化させることが知られている。以下に、この動画疑似輪郭について説明する。ここでも１フィールドは（１、２、４、８、１６、３２、６４、１２８）と重み付けされた８つのサブフィールド（ＳＦ１〜ＳＦ８）に分割されていると仮定する。図２０に示すように、画像パターンＸがＰＤＰ３３の画面上を水平方向に移動する場合を考える。画像パターンＸは、階調が「１２７」である領域Ｐ１と、階調が「１２８」である領域Ｐ２とからなる。図２１は、画像パターンＸをサブフィールドに展開した図であり、横軸はＰＤＰ３３の画面上の水平方向画面位置に対応し、縦軸は時間経過に対応する。また、図２１中のハッチングは点灯しないサブフィールドを示している。
【０００５】
画像パターンＸが静止している場合、図２１に示すように、人間の視点も画面位置Ａに固定されるため画素本来の階調「１２７」と「１２８」が認識される。ところが、画像パターンＸが左方向に移動すると、視点も画面位置Ｂ−Ｂ´方向に移動するため、領域Ｐ２の点灯しないサブフィールドと領域Ｐ１の点灯しないサブフィールドを見ることになり、その結果、階調「０」、すなわち暗線を認識する。逆に、画像パターンＸが右方向に移動すると、視点も画面位置Ｃ−Ｃ´と移動するため、領域Ｐ１の点灯するサブフィールドと領域Ｐ２の点灯するサブフィールドを見ることになり、階調「２５５」、すなわち明線を認識してしまう。いずれにしても、本来の階調（「１２７」または「１２８」）とは大幅に異なるため、これらが輪郭として認識される。このように動画疑似輪郭は、階調の変化はわずかであるにもかかわらず、画素を点灯させるか否かをサブフィールドごとに示すパターン情報（以下、「点灯パターン情報」という。）の変化が大きいところで発生する。例えば、上記のような重み付けのサブフィールドを用いた場合、隣接する画素の階調が「６３」と「６４」の場合、あるいは「１９１」と「１９２」等の場合にも顕著に観測される。このような動画疑似輪郭を疑似輪郭ノイズ（非特許文献１参照）といい、画質を劣化させる原因となっている。
【０００６】
そこで動画疑似輪郭を抑制する方法として、例えば、動画疑似輪郭が発生しにくい「第１の階調」とその「中間の階調」に画像信号の階調を階調制限回路で変換し、変換によって生じた誤差を周辺画素に拡散する誤差拡散処理回路を用いて階調の飛びを補間する。次に、変換された階調が「中間の階調」である場合には、最も近い「第１の階調」へ切上げあるいは切下げを行う。画素ごと、ラインごと、フィールドごとに切上げと切下げとを交互に繰返すことで、平均的に「中間の階調」を表示するという方法が提案されている（特許文献１参照）。
【特許文献１】特開２０００−２７６１００号公報
【非特許文献１】テレビジョン学会技術報告、Ｖｏｌ．１９、Ｎｏ．２、ＩＤＹ９５−２１、ｐｐ．６１−６６：「パルス幅変調動画表示に見られる疑似輪郭ノイズ」
【発明の開示】
【発明が解決しようとする課題】
【０００７】
しかしながら、このような方法では、階調がある程度の傾斜を持った領域、例えば画像のうち焦点が合っていない部分等、が目で追いかけることができる程度の速さで移動すると、非常に大きい動画疑似輪郭が観測される。逆に、大きい動画疑似輪郭が発生する階調付近でこの動画疑似輪郭を抑制しようとすると階調数を制限する必要が生じ、表示できる階調が少なくなるので画質が劣化するという課題があった。
【０００８】
本発明は上記課題を解決するためになされたもので、十分な階調を確保しつつ、動画疑似輪郭を抑制することのできる画像表示方法および画像表示装置を提供することを目的とする。
【課題を解決するための手段】
【０００９】
上述したような課題を解決するために、本発明は、１フィールドを輝度で重み付けされた複数のサブフィールドで構成し、サブフィールドごとの画素の点灯を「１」、非点灯を「０」で示す情報を点灯パターン情報とし、一つの階調を表示するために複数の点灯パターン情報を用いる画像表示方法であって、複数の点灯パターン情報は、それぞれの点灯パターン情報の示す階調の平均値が一つの階調に等しく、かつ、複数の点灯パターン情報をサブフィールドごとに平均した値を平均点灯率とし、その平均点灯率が０でない最大輝度重みを持つサブフィールドよりも小さい輝度重みを持つすべてのサブフィールドの平均点灯率が所定の閾値以上であることを特徴とする。
【００１０】
このような方法によれば、十分な階調を確保しつつ、動画疑似輪郭を抑制することができる。
【００１１】
また、所定の閾値は０．５であってもよい。
【００１２】
このようにすれば、実用上画質の劣化につながるような動画疑似輪郭はほとんど発生しない。
【００１３】
また、複数の点灯パターン情報のそれぞれを、一つの画素に対して時間的に切替えて所定の階調を表示してもよい。
【００１４】
このような方法によれば、容易に十分な階調を確保することができる。
【００１５】
また、複数の点灯パターン情報のそれぞれを、隣接する複数の画素に対して空間的に配置して所定の階調を表示してもよい。
【００１６】
このような方法によっても、容易に十分な階調を確保することができる。
【００１７】
次に、本発明の画像表示装置は、本発明の画像表示方法を用いて画像を表示するように構成したことを特徴としている。
【００１８】
このような構成によれば、十分な階調を確保しつつ、動画疑似輪郭を抑制することができる画像表示装置を実現することができる。
【発明の効果】
【００１９】
本発明の画像表示方法および画像表示装置によれば、十分な階調を確保しつつ、動画疑似輪郭を抑制することのできる画像表示方法および画像表示装置を提供することができる。
【発明を実施するための最良の形態】
【００２０】
（実施の形態１）
まず、本発明により動画疑似輪郭を低減する考え方について説明する。
【００２１】
ここでは、１フィールドが１０個のサブフィールド（ＳＦ１、ＳＦ２、・・、ＳＦ１０）に分割され、各サブフィールドの輝度重みがそれぞれ（１、２、４、８、１２、１６、２８、４４、６０、８０）である場合を例として説明する。
【００２２】
前述したように、動画疑似輪郭は、階調の変化がわずかであるにもかかわらず点灯パターン情報の変化が大きいところで発生する。よって、点灯させるサブフィールドより小さい輝度重みを持つすべてのサブフィールドが点灯するような階調のみで画像を表示すれば、点灯パターン情報の変化が小さくなるので、動画疑似輪郭の発生を抑えることができる。
【００２３】
この条件を満たす階調は、具体的には「０」、「１」、「３」、「７」、「１５」、「２７」、「４３」、「７１」、「１１５」、「１７５」、「２５５」の１１種の階調である。例えば階調「２７」は、ＳＦ５以下の輝度重みを持つサブフィールドがすべて点灯しＳＦ６以上のサブフィールドがすべて非点灯であるので、この条件を満たしている。
【００２４】
このような１１種の階調のみで画像を表示すれば動画疑似輪郭の発生を抑えることができる。しかし、たかだか１１種の階調のみで画像を表示しようとしても、十分な階調を表示することができず画質が劣化する。
【００２５】
そこで、本発明に係る画像表示方法では、表示される階調数を増やすために複数の点灯パターン情報を用いて一つの階調を表示している。そして、疑似的に点灯させるサブフィールドより小さい輝度重みを持つすべてのサブフィールドが点灯するような階調を増やし、動画疑似輪郭を低減している。
【００２６】
本発明に係る画像表示方法で用いる複数の点灯パターン情報の条件は、以下の通りである。
【００２７】
（１）複数の点灯パターン情報のそれぞれが示す階調の平均値が、表示すべき一つの階調と等しくなるようにする。
【００２８】
（２）点灯パターン情報が持つサブフィールドごとの点灯を「１」、非点灯を「０」で示し、複数の点灯パターン情報をサブフィールドごとに平均した値を平均点灯率とする。このとき、平均点灯率が０でない最大輝度重みを持つサブフィールドよりも小さい輝度重みを持つすべてのサブフィールドの平均点灯率が０．７５以上になるようにする。
【００２９】
図１に、階調「１６５」を４つの点灯パターン情報で表示する例を示す。４つの点灯パターン情報Ｓ１〜Ｓ４は必ずしも互いに異なった情報である必要はない。例えば、図１での点灯パターン情報Ｓ１とＳ２は同一の情報である。
【００３０】
点灯パターン情報Ｓ１、Ｓ２、Ｓ３、Ｓ４のそれぞれが示す階調は、「１７５」、「１７５」、「１４７」、「１６３」であり、その平均値が表示すべき階調「１６５」と等しいので、上記（１）の条件を満たしている。
【００３１】
同様に、図１の例は上記（２）の条件を満たしていることを以下に示す。
【００３２】
図１において、３つの点灯パターン情報Ｓ１、Ｓ２、Ｓ３のＳＦ５が「１」であり、残りの点灯パターン情報Ｓ４のＳＦ５が「０」なので、ＳＦ５における平均点灯率は０．７５となる。同様に、３つの点灯パターン情報Ｓ１、Ｓ２、Ｓ４のＳＦ７が「１」であり、残りの点灯パターン情報Ｓ３のＳＦ７が「０」なので、ＳＦ７における平均点灯率は０．７５となる。４つの点灯パターン情報Ｓ１〜Ｓ４のうちどれか一つの点灯パターン情報におけるそのサブフィールドが「０」になっても、サブフィールドの平均点灯率は０．７５以上を保つことができる。
【００３３】
このように、図１の例では、平均点灯率が０でない最大輝度重みを持つサブフィールドよりも小さい輝度重みを持つすべてのサブフィールドの平均点灯率が０．７５以上になり、上記（２）の条件を満たしている。
【００３４】
なお、上記（１）および（２）の条件を満たす複数の点灯パターン情報の組合せは図１の例に限られず、これ以外にも考えられる。
【００３５】
図２〜図１０は、すべての階調に対して平均点灯率が０．７５以上となるように作成した階調テーブルの一例を示す。各階調は、平均点灯率が０でない最大輝度重みを持つサブフィールドよりも小さい輝度重みを持つすべてのサブフィールドの平均点灯率が０．７５と１となるように構成されている。
【００３６】
図２〜図１０では、上記（１）、（２）の条件を満たした上で、すべての階調が複数の点灯パターン情報を用いて表示される。
【００３７】
４つの点灯パターン情報Ｓ１〜Ｓ４を用いる方法としては、一つの画素に対して時間的に点灯パターン情報を切替えるといった時間平均処理を施す方法と、点灯パターン情報を隣接する複数の画素に対して空間的に配置するといった空間平均処理を施す方法とがある。
【００３８】
時間平均処理を施して所定の階調を表示する方法としては、１フィールドごとに４つの点灯パターン情報Ｓ１〜Ｓ４を切替える。その結果、例えば一つの画素に対してそのサブフィールドで４フィールドに３回点灯（すなわち、時間平均して１フィールドに０．７５回点灯）すれば、そのサブフィールドにおける４つの点灯パターン情報Ｓ１〜Ｓ４の平均点灯率は０．７５になる。
【００３９】
次に、空間平均処理を施して所定の階調を表示する例を図１１に示す。図１１（ａ）に示す２ライン×２画素のマトリクス（Ａ１〜Ａ４の４画素）の配列を考え、これを図１１（ｂ）のように画面全体に敷き詰める。その結果、例えば着目するマトリクスにおいて、４画素中３画素（例えばＡ１〜Ａ３）がそのサブフィールドで点灯「１」状態であり、残りの１画素（例えばＡ４）がそのサブフィールドで非点灯「０」状態であれば、そのサブフィールドにおける４つの点灯パターン情報Ｓ１〜Ｓ４の平均点灯率は０．７５になる。
【００４０】
このように、これら４つの点灯パターン情報Ｓ１〜Ｓ４に対して時間平均処理、空間平均処理あるいはそれら両方の処理を施すことにより、上記（１）および（２）の条件を満たす階調を表示することができる。
【００４１】
次に、本発明に係る画像表示方法で表示される階調が、擬似的に点灯させるサブフィールドより小さい輝度重みを持つすべてのサブフィールドが点灯するような階調となることを説明する。
【００４２】
今、図１２に示すように階調がある程度の傾斜を持ちある程度の広さを持つ画像パターンＹが移動する領域（以下、「動画傾斜領域」という。）について考える。例えば、画像パターンＹが階調「２４０」、「２４４」、「２４８」、「２５１」である４つの領域で表示されたとする。また、各階調は図２〜図１０に示した階調テーブルにもとづいて、４つの点灯パターン情報Ｓ１〜Ｓ４の組合せで表示されるものとする。
【００４３】
図１３に、階調「２４０」、「２４４」、「２４８」、「２５１」を表示する場合の４つの点灯パターン情報Ｓ１〜Ｓ４の各サブフィールドでの点灯「１」／非点灯「０」状態および平均点灯率の一例を示す。
【００４４】
図１４は、画像パターンＹをサブフィールドに展開した図であり、横方向はＰＤＰ３３の画面上の水平方向に対応し、縦方向は時間経過に対応する。図１４のハッチング部分は、サブフィールドの平均点灯率が０．７５であることを示す。
【００４５】
ここで、もし図１４のハッチング部分のサブフィールドですべて非点灯「０」状態になりその状態が一定時間持続した場合は、視点が画面位置Ｂ−Ｂ´方向に移動するため４つの非点灯「０」状態のサブフィールドを追う形になり、暗い暗線として動画疑似輪郭を認識することになる。
【００４６】
しかし、ハッチング部分のサブフィールドがすべて非点灯「０」状態となるのは、４つの階調「２４０」、「２４４」、「２４８」、「２５１」のすべてに対して点灯パターン情報Ｓ４が同時に選択された場合のみである。点灯パターン情報に対して時間平均処理のみを施した場合であっても、ハッチング部分のサブフィールドがすべて非点灯「０」状態になるのは４フィールド期間中に１フィールド期間しか存在しない。そして、このようなわずかな期間のみハッチング部分のサブフィールドがすべて非点灯「０」状態となっても、動画疑似輪郭とは視覚的に認識されない。
【００４７】
さらに、点灯パターン情報に対して空間平均処理を施せば、隣接する画素に対して同じ点灯パターン情報が選択されることはなくなる。よって、一画素単位の点灯パターン情報の変化が動画疑似輪郭が発生する条件と合致していても、その変化は非常に小さいので視覚的に認識されない。
【００４８】
以上のことから、図２〜図１０のように作成した階調テーブルから得られる４つの点灯パターン情報Ｓ１〜Ｓ４に対して時間平均処理および空間平均処理を施すことにより、擬似的に点灯させるサブフィールドより小さい輝度重みを持つすべてのサブフィールドが点灯するような階調を増やすことができ、動画疑似輪郭を抑制することができる。
【００４９】
なお、図２〜図１０に示す階調テーブルは一例であり、この他にも上記（１）および（２）の条件を満たす階調テーブルを作成することができる。また、図２から図１０に示す階調テーブルでは、平均点灯率が０でない最大輝度重みを持つサブフィールドよりも小さい輝度重みを持つすべてのサブフィールドの平均点灯率が０．７５以上になるように設定したが、実験によると、この平均点灯率が０．５以上であれば実用上画質の劣化につながるような動画疑似輪郭はほとんど発生しない。
【００５０】
次に、本発明の実施の形態１について、図面を参照しながらその構成と動作を説明する。
【００５１】
図１５は本発明の実施の形態１における画像表示装置１のブロック回路図である。図１５において、アナログ−デジタル（Ａ／Ｄ）変換回路１１は画像信号のＡ／Ｄ変換を行う。逆ガンマ補正回路１３はＡ／Ｄ変換された画像信号に逆ガンマ補正を行う。逆ガンマ補正された画像信号は、点灯パターン情報発生回路１７に送られる。点灯パターン情報発生回路１７は、送られてきた画像信号の階調を４つの点灯パターン情報Ｓ１〜Ｓ４に変換する。点灯パターン情報発生回路１７で得られた４つの点灯パターン情報Ｓ１〜Ｓ４は、ディザ生成回路１９に入力される。ディザ生成回路１９では、４つの点灯パターン情報Ｓ１〜Ｓ４に時間平均処理および空間平均処理を施し、４つの点灯パターン情報Ｓ１〜Ｓ４から１つの点灯パターン情報を選択する。点灯パターン情報発生回路１７およびディザ生成回路１９については本発明の主要部分なので後で詳述する。サブフィールド処理回路２７は、ディザ生成回路１９から出力される点灯パターン情報にもとづいて維持期間に出力される維持パルスの数を決定する。走査・維持・消去駆動回路２９とデータ駆動回路３１は、サブフィールド処理回路２７からの出力にもとづき、各画素の点灯／非点灯を制御してＰＤＰ３３上に所望の階調の画像を表示させる。タイミングパルス発生回路３５は、水平同期信号および垂直同期信号にもとづいて各種タイミング信号を発生し、画像表示装置１内の各部へ供給する。
【００５２】
次に、本発明の実施の形態１における点灯パターン情報発生回路１７について説明する。
【００５３】
図１６は、点灯パターン情報発生回路１７の内部構成例を示す図である。図１６において、点灯パターン情報発生回路１７は４つのルックアップテーブルＬＵＴ２０１〜ＬＵＴ２０４で構成されている。ＬＵＴ２０１〜ＬＵＴ２０４の入力は共通で、逆ガンマ補正回路１３からの画像信号である。４つのルックアップテーブルＬＵＴ２０１〜ＬＵＴ２０４には、それぞれすべての階調に対する点灯パターン情報Ｓ１〜Ｓ４があらかじめ設定され、入力される画像信号の階調に対応した４つの点灯パターン情報Ｓ１〜Ｓ４が同時に出力される。
【００５４】
例えば、図１における階調「１６５」を有する画像信号が点灯パターン情報発生回路１７に入力された場合、ＬＵＴ２０１からは点灯パターン情報Ｓ１＝（１、１、１、１、１、１、１、１、１、０）が出力される。ここで、括弧内の値「１」または「０」は、左から若い順にサブフィールドの点灯「１」／非点灯「０」状態を示す。
【００５５】
同様に、ＬＵＴ２０２からは点灯パターン情報Ｓ２＝（１、１、１、１、１、１、１、１、１、０）が出力され、ＬＵＴ２０３からは点灯パターン情報Ｓ３＝（１、１、１、１、１、１、０、１、１、０）が出力され、ＬＵＴ２０４からは点灯パターン情報Ｓ４＝（１、１、１、１、０、１、１、１、１、０）が出力される。
【００５６】
他の階調を有する画像信号が点灯パターン情報発生回路１７に入力された場合も、上記と同じ要領で４つの点灯パターン情報Ｓ１〜Ｓ４が同時に出力される。
【００５７】
次に、本発明の実施の形態１におけるディザ生成回路１９について説明する。
【００５８】
図１７は、２ライン×２画素の仮想的なマトリクスを考え、これを画面全体に敷き詰めることを示す図である。図１７において、Ｓ１〜Ｓ４は対応する画素の階調を表示する点灯パターン情報の一つを示す。図１７（ａ）のようなマトリクスを画面全体に敷き詰めた場合、図１７（ｂ）のようになる。同様に、図１７（ｃ）、図１７（ｅ）、図１７（ｇ）のようなマトリクスを画面全体に敷き詰めた場合、それぞれ図１７（ｄ）、図１７（ｆ）、図１７（ｈ）のようになる。そして、これら４種の２ライン×２画素の仮想的なマトリクスを１フィールドごとに図１７（ａ）、図１７（ｃ）、図１７（ｅ）、図１７（ｇ）の順に変えていけば、４つの点灯パターン情報Ｓ１〜Ｓ４の組合せで表示される階調の時間平均値および空間平均値が得られる。
【００５９】
図１８は、本発明の実施の形態１におけるディザ生成回路１９の内部構成例を示す。図１８に示す４つの点灯パターン情報セレクタ４０１、４０２、４０３、４０４は、画素ごとに反転する画素反転信号とラインごとに反転するライン反転信号によって４つの点灯パターン情報Ｓ１〜Ｓ４を適宜切替える。このとき点灯パターン情報セレクタ４０１は、２ライン×２画素のマトリクスの配列が、図１７（ａ）に示す並びになるように切替える。同様に、点灯パターン情報セレクタ４０２、４０３、４０４は、２ライン×２画素のマトリクスの配列が、それぞれ図１７（ｃ）、図１７（ｅ）、図１７（ｇ）に示す並びになるように切替える。次に、セレクタ４１０はフィールドごとに反転するフィールド反転信号を用いて、フィールドごとに図１７（ａ）または図１７（ｃ）のマトリクスを交互に選択して出力する。同様に、セレクタ４１１はフィールドごとに図１７（ｅ）または図１７（ｇ）のマトリクスを交互に選択して出力する。さらに、セレクタ４２０はフレームごとに反転するフレーム反転信号を用いて、フレームごとにセレクタ４１０の出力、またはセレクタ４１１の出力を選択する。
【００６０】
その結果、ディザ生成回路１９は最初のフィールドでは図１７（ａ）のマトリクスを選択して図１７（ｂ）のように画面全体に敷き詰め、各画素に対応する点灯パターン情報を出力する。また、これに続くフィールドでは図１７（ｃ）のマトリクスを選択して図１７（ｄ）のように画面全体に敷き詰め、各画素に対応する点灯パターン情報を出力する。さらに、３フィールド目、４フィールド目では図１７（ｅ）、図１７（ｇ）のマトリクスを選択し、それぞれ図１７（ｆ）、図１７（ｈ）のように画面全体に敷き詰め、各画素に対応する点灯パターン情報を出力する。
【００６１】
このように、ディザ生成回路１９では４フィールドで時間的にも空間的にも一巡するようにマトリクスを選択し、ディザ処理を施している。また、動画傾斜領域であるか否かにかかわらず、すべての階調が表示できるので、従来動画疑似輪郭が発生しにくい階調のみを用いて画像を表示していた階調制限回路および誤差拡散処理回路も不要となる。
【００６２】
以上述べたように、本発明の実施の形態１に係る画像表示装置を用いれば、十分な階調を確保しつつ、動画疑似輪郭を抑制することができる。
【産業上の利用可能性】
【００６３】
本発明の画像表示方法および画像表示装置は、十分な階調を確保しつつ、動画疑似輪郭を抑制することのできる画像表示方法および画像表示装置を提供することができるので、１フィールドの画像を複数のサブフィールドの画像に分割して多階調表示を行う画像表示方法および画像表示装置等に有用である。
【図面の簡単な説明】
【００６４】
【図１】階調「１６５」を４つの点灯パターン情報で表示する例を示す図
【図２】平均点灯率が０でない最大輝度重みを持つサブフィールドよりも小さい輝度重みを持つすべてのサブフィールドの平均点灯率が０．７５以上となるように作成した階調テーブル（０〜２９）の一例を示す図
【図３】同階調テーブル（３０〜５９）の一例を示す図
【図４】同階調テーブル（６０〜８９）の一例を示す図
【図５】同階調テーブル（９０〜１１９）の一例を示す図
【図６】同階調テーブル（１２０〜１４９）の一例を示す図
【図７】同階調テーブル（１５０〜１７９）の一例を示す図
【図８】同階調テーブル（１８０〜２０９）の一例を示す図
【図９】同階調テーブル（２１０〜２３９）の一例を示す図
【図１０】同階調テーブル（２４０〜２５５）の一例を示す図
【図１１】画面上に画素が敷き詰められた状態を示す図
【図１２】動画傾斜領域を示す図
【図１３】階調「２４０」、「２４４」、「２４８」、「２５１」を表示する場合の４つの点灯パターン情報の各サブフィールドでの点灯「１」／非点灯「０」状態および平均点灯率を示す図
【図１４】動画傾斜領域をサブフィールドに展開した図
【図１５】本発明の実施の形態１における画像表示装置のブロック回路図
【図１６】点灯パターン情報発生回路の内部構成例を示す図
【図１７】２ライン×２画素の仮想的なマトリクスを考え、これを画面全体に敷き詰めることを示す図
【図１８】本発明の実施の形態１におけるディザ生成回路の内部構成例を示す図
【図１９】従来のＰＤＰにおけるサブフィールドの構成の一例を示す図
【図２０】動画疑似輪郭が発生するパターンを説明する図
【図２１】動画疑似輪郭が発生する原因を説明する図
【符号の説明】
【００６５】
１    画像表示装置 
１１    アナログ−デジタル（Ａ／Ｄ）変換回路
１３    逆ガンマ補正回路
１７    点灯パターン情報発生回路
１９    ディザ生成回路
２７    サブフィールド処理回路
２９    走査・維持・消去駆動回路
３１    データ駆動回路
３３    プラズマディスプレイパネル（ＰＤＰ）
３５    タイミングパルス発生回路
２０１，２０２，２０３，２０４    ルックアップテーブル（ＬＵＴ）
４０１，４０２，４０３，４０４    点灯パターン情報セレクタ
４１０，４１１，４２０    セレクタ
【図１】
2005141203.tif 000003
【図２】
2005141203.tif 000004
【図３】
2005141203.tif 000005
【図４】
2005141203.tif 000006
【図５】
2005141203.tif 000007
【図６】
2005141203.tif 000008
【図７】
2005141203.tif 000009
【図８】
2005141203.tif 000010
【図９】
2005141203.tif 000011
【図１０】
2005141203.tif 000012
【図１１】
2005141203.tif 000013
【図１２】
2005141203.tif 000014
【図１３】
2005141203.tif 000015
【図１４】
2005141203.tif 000016
【図１５】
2005141203.tif 000017
【図１６】
2005141203.tif 000018
【図１７】
2005141203.tif 000019
【図１８】
2005141203.tif 000020
【図１９】
2005141203.tif 000021
【図２０】
2005141203.tif 000022
【図２１】
2005141203.tif 000023